(57)【要約】【課題】記録装置に供給される用紙の先端を先端の形状に応じて移動し、カットすることで全幅でのカットを保障すると共に、不要な移動も防止する。【解決手段】固定した先端検知センサーの検知後、キャリッジの付帯する用紙検知センサーの検知結果が一定以上非検知を継続する場合に、全幅を確定する。【選択図】        図１
2004167934.tif 000002
【特許請求の範囲】
【請求項１】
搬送対象物を搬送する搬送装置と、
搬送装置に固定し搬送対象物の有無検知する第１の検知手段と、
搬送対象物の搬送方向に対し直角方向に双方向移動をする移動体に付帯する
搬送対象物の有無検知する第２の検知手段と、
前記移動体と平行に移動することにより搬送対象物を切断する切断装置とを有し、
前記第１の検知手段による搬送対象物の検知後、
前記移動体の移動と前記搬送装置による搬送対象物の移動後、前記第２の検知手段による
搬送対象物の有無により、搬送対象物の位置及び幅を決定し、
その後、前記切断装置が搬送対象物を切断する
ことを特徴とする記録装置。
【請求項２】
請求項１の搬送対象物が帯状の被記録体である記録装置。
【請求項３】
搬送対象物を搬送する搬送装置と、
搬送対象物の搬送方向に対し直角方向に双方向移動をする移動体に付帯する
搬送対象物の有無検知する検知手段と、
前記移動体と平行に移動することにより搬送対象物を切断する切断装置とを有し、
前記検知手段による移動体の定められた測定点での搬送対象物の検知後、
前記移動体の移動と前記搬送装置による搬送対象物の移動後、前記検知手段による
搬送対象物の有無により、搬送対象物の位置及び幅を決定し、
その後、前記切断装置が搬送対象物を切断する
ことを特徴とする記録装置。
【請求項４】
請求項３の搬送対象物が帯状の被記録体である記録装置。
【発明の詳細な説明】
【０００１】
【発明の属する技術分野】
本発明はプリンター、ファクシミリ、あるいは複写機などの記録装置に関するもので、特にロール状記録紙やロール状記録フィルムなどのロール状記録媒体に対して画像や文字等を記録する記録装置に関するものである。
【０００２】
【従来の技術】
従来、ロール状記録媒体に画像や文字等を記録する記録装置において、記録媒体を供給し先端部切断する場合に、唯一の検知手段による記録媒体の検知のみに依存する処理が行われていた。
【０００３】
【発明が解決しようとする課題】
しかしながら、上記従来技術においては、例えば記録媒体の先端の形状によっては、全幅を切断できずに、記録媒体以外の装置部分に記録剤を塗布するなどの問題が指摘されていた。
【０００４】
【課題を解決するための手段】
本発明は上記従来例の問題を鑑みて行われたものであり、搬送装置に固定し搬送対象物の有無検知する第１の検知手段と、搬送対象物の搬送方向に対し直角方向に双方向移動をする移動体に付帯する搬送対象物の有無検知する第２の検知手段と、前記移動体と平行に移動することにより搬送対象物を切断する切断装置とを有し、前記第１の検知手段による搬送対象物の検知後、前記移動体の移動と前記搬送装置による搬送対象物の移動後、前記第２の検知手段による搬送対象物の有無により、搬送対象物の位置及び幅を決定し、その後、前記切断装置が搬送対象物を切断する。
【０００５】
あるいは、搬送装置に固定し搬送対象物の有無検知する検知手段と、前記移動体と平行に移動することにより搬送対象物を切断する切断装置とを有し、前記検知手段による移動体の定められた測定点での搬送対象物の検知後、前記移動体の移動と前記搬送装置による搬送対象物の移動後、前記検知手段による搬送対象物の有無により、搬送対象物の位置及び幅を決定し、その後、前記切断装置が搬送対象物を切断する。
【０００６】
【発明の実施の形態】
以下に、本発明の実施の形態について図面を参照して説明する。
【０００７】
本発明は、記録方式に関わり無く適応できる。
【０００８】
（実施例１）
図１は本発明の第一の実施例をあらわすもので、個々の図を用いて説明する。
【０００９】
（１−１）は搬送対象物である記録媒体であり、図１においては矢印が記録媒体の進行方向を表している。
【００１０】
（１−２）は記録媒体の搬送方向（図１の矢印方向）に対し直角方向に双方向移動をする移動体である。
【００１１】
（１−３）は（１−２）移動体に付帯し、共に移動する記録媒体の有無検知する第二の検知手段である。
【００１２】
（１−４）は（１−２）移動体と平行に移動することにより記録媒体を切断する切断装置である。
【００１３】
（１−５）は装置に固定し記録媒体の有無検知するの第一の検知手段である。
【００１４】
また、印刷装置としての各要素、例えばデータあるいはステータスを送受信する部分、記録媒体を移動させる部分、あるいは全体制御を司る部分等は明示されていないが存在している。
【００１５】
以上の構成において、本実施例の動作を説明する。
【００１６】
まず初めに電源投入時に印刷装置及び内部の各部が初期化される。  その後、装置は送受信部を経由して出力画像データが取り込まれるのを待つ。
送受信部を経由して出力画像データが取り込まれ始めると、印刷動作が開始される。
【００１７】
印刷動作が開始されると、（１−５）第一の検知手段が（１−１）記録媒体の有無を検知する。検知されれば、次の処理に移り、検知されなければ、（１−１）記録媒体を予め定められた量だけ搬送方向に移動する。ここで、再度、（１−５）第一の検知手段が記録媒体の有無を検知する。検知されれば、次の処理に移り、検知されなければ、（１−１）記録媒体を予め定められた量だけ搬送方向に再度移動する。この処理を（１−５）第一の検知手段が記録媒体を検知するまで予め定められた回数まで続ける。ここで、（１−５）第一の検知手段が記録媒体を検知するまでに予め定められた回数に達した場合には、（１−１）記録媒体の供給障害と判断される。
【００１８】
（１−５）第一の検知手段が（１−１）記録媒体の有無を検知すると、（１−２）移動体は（１−１）記録媒体の搬送方向（図１の矢印方向）に対し直角方向に（１−５）第一の検知手段から離れる方向に予め定められた量だけ予め定められた地点から移動をし、（１−３）第二の検知手段が記録媒体の有無を検知する。検知されると（１−２）移動体はさらに予め定められた量だけ移動をし、（１−３）第二の検知手段が記録媒体の有無を検知する。この動作を（１−３）第二の検知手段が記録媒体の無状態を検知するまで行う。ここで、（１−２）移動体の予め定められた地点からの移動の総和が定められた限界を超える場合には、（１−１）記録媒体の供給障害と判断される。
【００１９】
（１−３）第二の検知手段が記録媒体の無状態を検知すると、（１−１）記録媒体を予め定められた量だけ搬送方向に移動する。ここで（１−３）第二の検知手段が記録媒体の有無を検知し、（１−１）記録媒体の無状態である場合には、（１−１）記録媒体を予め定められた量だけ搬送方向に移動する。この動作の反復が予め定められた回数を超えても尚（１−３）第二の検知手段よる検知が（１−１）記録媒体の無状態である場合は、この反復動作で搬送された量分（１−１）記録媒体を逆搬送する。
【００２０】
前処理で（１−３）第二の検知手段が記録媒体の有無を検知し、（１−１）記録媒体の有状態である場合には、（１−２）移動体はさらに予め定められた量だけ移動し、（１−３）第二の検知手段が記録媒体の有無を検知する。この動作を（１−３）第二の検知手段が記録媒体の無状態を検知するまで行う。ここで、（１−２）移動体の予め定められた地点からの移動の総和が定められた限界を超える場合には、（１−１）記録媒体の供給障害と判断される。（１−３）第二の検知手段が記録媒体の無状態を検知されると前処理の復帰する。
【００２１】
（１−１）記録媒体を逆搬送された後、（１−４）切断装置より記録媒体を切断され（１−１）記録媒体の位置が確定し、（１−２）移動体の予め定められた地点から移動距離が（１−１）記録媒体の幅として確定される。
【００２２】
（実施例２）
図２は本発明の第一の実施例をあらわすもので、個々の図を用いて説明する。
【００２３】
（２−１）は搬送対象物である記録媒体であり、図２においては矢印が記録媒体の進行方向を表している。
【００２４】
（２−２）は記録媒体の搬送方向（図１の矢印方向）に対し直角方向に双方向移動をする移動体である。
【００２５】
（２−３）は（２−２）移動体に付帯し、共に移動する記録媒体の有無検知する検知手段である。
【００２６】
（２−４）は（２−２）移動体と平行に移動することにより記録媒体を切断する切断装置である。
【００２７】
また、印刷装置としての各要素、例えばデータあるいはステータスを送受信する部分、記録媒体を移動させる部分、あるいは全体制御を司る部分等は明示されていないが存在している。
【００２８】
以上の構成において、本実施例の動作を説明する。
【００２９】
まず初めに電源投入時に印刷装置及び内部の各部が初期化される。その後、装置は送受信部を経由して出力画像データが取り込まれるのを待つ。
【００３０】
送受信部を経由して出力画像データが取り込まれ始めると、印刷動作が開始される。
【００３１】
印刷動作が開始されると、（２−２）移動体がホームポジション（原点、２−２ａの位置）に復帰する。（２−３）検知手段が（２−１）記録媒体の有無を検知する。検知されれば、次の処理に移り、検知されなければ、（２−１）記録媒体を予め定められた量だけ搬送方向に移動する。ここで、再度、（２−３）検知手段が記録媒体の有無を検知する。検知されれば、次の処理に移り、検知されなければ、（２−１）記録媒体を予め定められた量だけ搬送方向に再度移動する。この処理を（２−３）検知手段が記録媒体を検知するまで予め定められた回数まで続ける。ここで、（２−３）検知手段が記録媒体を検知するまでに予め定められた回数に達した場合には、（２−１）記録媒体の供給障害と判断される。
【００３２】
（２−３）検知手段が（２−１）記録媒体の有無を検知すると、（２−２）移動体は（２−１）記録媒体の搬送方向（図２の矢印方向）に対し直角方向にホームポジション（原点、２−２ａの位置）から離れる方向に予め定められた量だけ移動をし、（２−３）検知手段が記録媒体の有無を検知する。検知されると（２−２）移動体はさらに予め定められた量だけ移動をし、（２−３）検知手段が記録媒体の有無を検知する。この動作を（２−３）検知手段が記録媒体の無状態を検知するまで行う。ここで、（２−２）移動体のホームポジション（原点、２−２ａの位置）からの移動の総和が定められた限界を超える場合には、（２−１）記録媒体の供給障害と判断される。
【００３３】
（２−３）検知手段が記録媒体の無状態を検知すると、（２−１）記録媒体を予め定められた量だけ搬送方向に移動する。ここで（２−３）検知手段が記録媒体の有無を検知し、（２−１）記録媒体の無状態である場合には、（２−１）記録媒体を予め定められた量だけ搬送方向に移動する。この動作の反復が予め定められた回数を超えても尚（２−３）検知手段よる検知が（２−１）記録媒体の無状態である場合は、この反復動作で搬送された量分（２−１）記録媒体を逆搬送する。
【００３４】
前処理で（２−３）検知手段が記録媒体の有無を検知し、（２−１）記録媒体の有状態である場合には、（２−２）移動体はさらに予め定められた量だけ移動し、（２−３）検知手段が記録媒体の有無を検知する。この動作を（２−３）検知手段が記録媒体の無状態を検知するまで行う。ここで、（２−２）移動体のホームポジション（原点、２−２ａの位置）からの移動の総和が定められた限界を超える場合には、（２−１）記録媒体の供給障害と判断される。（２−３）検知手段が記録媒体の無状態を検知されると前処理の復帰する。
【００３５】
（２−１）記録媒体を逆搬送された後、（２−４）切断装置より記録媒体を切断され（２−１）記録媒体の位置が確定し、（２−２）移動体のホームポジション（原点、２−２ａの位置）から移動距離が（２−１）記録媒体の幅として確定される。
【００３６】
【発明の効果】
以上説明したように本発明によれば、記録媒体である搬送対象物の先端形状に関わり無く搬送対象物の全幅を切断出来、記録動作時に記録媒体以外の装置部分に記録剤を塗布するなどの問題が解決される。
【図面の簡単な説明】
【図１】本発明の第一の実施例をあらわすものである。
【図２】本発明の第二の実施例をあらわすものである。
【符号の説明】
（１−１）  搬送対象物である記録媒体である。
（１−２）  記録媒体の搬送方向に対し直角方向に双方向移動をする移動体である。
（１−３）  （１−２）移動体に付帯する記録媒体の有無検知する第二の検知手段である。
（１−４）  （１−２）移動体と平行に移動することにより記録媒体を切断する切断装置である。
（１−５）  装置に固定し記録媒体の有無検知するの第一の検知手段である。
（２−１）  搬送対象物である記録媒体である。
（２−２ａ）  記録媒体の搬送方向に対し直角方向に双方向移動をする移動体であり、ホームポジションにある。
（２−２ｂ）  記録媒体の搬送方向に対し直角方向に双方向移動をする移動体であり、ホームポジション以外にある。
（２−３）  （２−２）移動体に付帯する記録媒体の有無検知する検知手段である。
（２−４）  （２−２）移動体と平行に移動することにより記録媒体を切断する切断装置である。
【図１】
2004167934.tif 000003
【図２】
2004167934.tif 000004